(57)【要約】【課題】  従来よりも見栄えが良く、芯線の弛みも生じにくい装身具用連結具を提供する。【解決手段】  第１装飾部２０を構成する芯線１１の一端を保持する保持体１２と保持体１２を覆うカバー体１３とを備える。保持体１２には、芯線１１の一端が絡められることにより該一端を保持する保持部１８と、芯線１１を保持体１２の一端側から保持部１８の配置領域に導入させる導入口２３とが形成されている。芯線１１が露出することが無く、装身具の見栄えを向上することができる。また、芯線の弛みも生じにくくすることができる。【選択図】    図１
2008054735.tif 000002
【特許請求の範囲】
【請求項１】
装身具の第１及び第２装飾部を相互に連結する装身具用連結具において、
前記第１装飾部を構成する芯線の一端を保持する保持体と、
前記保持体を覆うカバー体と、
を備え、
前記保持体には、
前記芯線の一端が絡められることにより該一端を保持する保持部と、
前記芯線を当該保持体の一端側から前記保持部の配置領域に導入させる導入口と、
が形成されていることを特徴とする装身具用連結具。
【請求項２】
前記保持部に前記芯線を絡めた状態で前記保持体を前記カバー体により覆うことによって、該カバー体により前記芯線の一端が押さえつけられ、該芯線が前記保持部に絡んだ状態に維持されることを特徴とする請求項１に記載の装身具用連結具。
【請求項３】
前記カバー体が前記保持体から脱落することを防止する脱落防止部材を更に備えることを特徴とする請求項１又は２に記載の装身具用連結具。
【請求項４】
前記保持体において、前記導入口に対して他端側には、前記脱落防止部材と連結される連結部が更に形成され、
前記カバー体は、前記保持体に形成された段差部と前記脱落防止部材とにより挟まれることによって、前記保持体からの脱落が防止されることを特徴とする請求項３に記載の装身具用連結具。
【請求項５】
当該装身具用連結具は、前記脱落防止部材を介して前記第２装飾部と連結されることを特徴とする請求項４に記載の装身具用連結具。
【請求項６】
当該装身具用連結具は、前記脱落防止部材を介して前記第２装飾部と連結され、
前記保持体において、前記導入口に対して他端側には、前記脱落防止部材と連結される連結部が更に形成され、
前記カバー体の一端に形成された開口を介して、前記カバー体より前記連結部が突出した状態で、該連結部が前記脱落防止部材と連結されることにより、
前記カバー体は、前記脱落防止部材により前記第２装飾部側への脱落が防止されるとともに、前記保持体において前記連結部の周囲の部分により前記第１装飾部側への移動が規制されることを特徴とする請求項３に記載の装身具用連結具。
【請求項７】
前記保持体は、複数の前記保持部を備えることを特徴とする請求項１乃至６の何れか一項に記載の装身具用連結具。
【請求項８】
前記カバー体の内部において、前記導入口の近傍位置に配置される位置決め部材を更に備え、
前記位置決め部材は、前記芯線が挿通される挿通孔を備え、前記芯線を所定の経路に位置決めすることを特徴とする請求項１乃至７の何れか一項に記載の装身具用連結具。
【請求項９】
複数の前記導入口を備えることを特徴とする装身具用連結具。
【請求項１０】
請求項１乃至９の何れか一項に記載の装身具用連結具を備えることを特徴とする装身具。
【発明の詳細な説明】
【技術分野】
【０００１】
本発明は、装身具用連結具
【背景技術】
【０００２】
従来、例えば、貴金属、宝石その他の装飾部材を複数個連ねてなる連珠体を有するネックレス、ブレスレット、ペンダント或いはその他の装身具があるが、それらの装身具には、該装身具の一部分どうしを連結する装身具用連結具が用いられる場合がある。
【０００３】
図１１は特許文献１に開示された装身具用連結具１０００を示す正面断面図である。
【０００４】
装身具用連結具１０００は、例えば、図１１に示すような第１装飾部２０００と第２装飾部３０００とを連結するものである。
【０００５】
第１装飾部２０００は、例えば、複数の珠型の装飾部材１６００を金属線１３２０を順次通して連ねたものである。なお、装飾部材１６００どうしの間隔には、緩衝材１６１０が介装されている。
【０００６】
図１１に示すように、装身具用連結具１０００は、留め具１１００と、キャップ部材１２００と、を備えている。
【０００７】
留め具１１００及びキャップ部材１２００には、その長手方向に亘って貫通する中空部が形成されている。
【０００８】
留め具１１００には雄ねじ部１１２０ａが形成され、この雄ねじ部１１２０ａが螺入される雌ねじ部１２００ａがキャップ部材１２００に形成されている。
【０００９】
装身具用連結具１０００により第１装飾部２０００と第２装飾部３０００とを連結するには、先ず、金属線１３２０を、キャップ部材１２００の一端側から導入し、キャップ部材１２００の中空部を通してキャップ部材１２００の他端側から導出する。
【００１０】
次に、金属線１３２０を金属片１４００の孔の中に通した後、金属線１３２０を留め具１１００の中空部を通して、留め具１１００外側まで導き、金属線１３２０によりループ１３２０ａを形成する。
【００１１】
ここで、ループ１３２０ａは、第２装飾部３０００の連結環１５００に通すとともに、コイル１３３０にも通す。
【００１２】
次に、金属線１３２０を再び留め具１１００の中空部を通して金属片１４００の孔の中に通し、金属片１４００を潰すことにより、金属線１３２０を固定する。
【００１３】
ここで、金属片１４００は留め具１１００の中空部内に挿入不能な寸法であるとともに、キャップ部材１２００の中空部内に収容可能な寸法である。
【００１４】
次に、キャップ部材１２００の雌ねじ部１２００ａ内に留め具１１００の雄ねじ部１１２０ａを螺入するとともに、金属片１４００をキャップ部材１２００の中空部内に収容させる。
【００１５】
これにより、装身具用連結具１０００により第１及び第２装飾部２０００，３０００が連結される。
【特許文献１】特開２００４−２２３１４５号公報
【発明の開示】
【発明が解決しようとする課題】
【００１６】
しかしながら、上記の装身具用連結具１０００では、金属線１３３０のループ１３２０ａが露出した状態であるので、見栄えが悪いという問題があった。
【００１７】
このため、ループ１３２０ａをコイル１３３０により被覆し、見栄え（装飾性）を改善する必要があった。
【００１８】
更に、上記の装身具用連結具１０００では、連珠体である第１装飾部２０００の芯線として機能する金属線１３２０の一部によりループ部１３２０ａを形成する必要があるため、第１装飾部２０００の装飾部材１６００間の弛みが生じることがあるという問題があった。
【００１９】
本発明は、上記のような問題点を解決するためになされたもので、従来よりも見栄えが良く、芯線がたるむことがない装身具用連結具を提供することを目的とする。
【課題を解決するための手段】
【００２０】
上記課題を解決するため、本発明の装身具用連結具は、装身具の第１及び第２装飾部を相互に連結する装身具用連結具において、前記第１装飾部を構成する芯線の一端を保持する保持体と、前記保持体を覆うカバー体と、を備え、前記保持体には、前記芯線の一端が絡められることにより該一端を保持する保持部と、前記芯線を当該保持体の一端側から前記保持部の配置領域に導入させる導入口と、が形成されていることを特徴としている。
【００２１】
本発明の装身具用連結具においては、前記保持部に前記芯線を絡めた状態で前記保持体を前記カバー体により覆うことによって、該カバー体により前記芯線の一端が押さえつけられ、該芯線が前記保持部に絡んだ状態に維持されることが好ましい。
【００２２】
本発明の装身具用連結具においては、前記カバー体が前記保持体から脱落することを防止する脱落防止部材を更に備えることが好ましい。
【００２３】
本発明の装身具用連結具においては、前記保持体において、前記導入口に対して他端側には、前記脱落防止部材と連結される連結部が更に形成され、前記カバー体は、前記保持体に形成された段差部と前記脱落防止部材とにより挟まれることによって、前記保持体からの脱落が防止されることが好ましい。
【００２４】
本発明の装身具用連結具は、前記脱落防止部材を介して前記第２装飾部と連結されることが好ましい。
【００２５】
或いは、本発明の装身具用連結具においては、当該装身具用連結具は、前記脱落防止部材を介して前記第２装飾部と連結され、前記保持体において、前記導入口に対して他端側には、前記脱落防止部材と連結される連結部が更に形成され、前記カバー体の一端に形成された開口を介して、前記カバー体より前記連結部が突出した状態で、該連結部が前記脱落防止部材と連結されることにより、前記カバー体は、前記脱落防止部材により前記第２装飾部側への脱落が防止されるとともに、前記保持体において前記連結部の周囲の部分により前記第１装飾部側への移動が規制されることも好ましい。
【００２６】
本発明の装身具用連結具においては、前記保持体は、複数の前記保持部を備えることも好ましい。
【００２７】
本発明の装身具用連結具においては、前記カバー体の内部において、前記導入口の近傍位置に配置される位置決め部材を更に備え、前記位置決め部材は、前記芯線が挿通される挿通孔を備え、前記芯線を所定の経路に位置決めすることも好ましい。
【００２８】
本発明の装身具用連結具においては、複数の前記導入口を備えることが好ましい。
【００２９】
本発明の装身具は、本発明の装身具用連結具を備えることを特徴としている。
【発明の効果】
【００３０】
本発明によれば、第１装飾部を構成する芯線の一端を保持する保持体と、保持体を覆うカバー体と、を備え、保持体には、芯線の一端が絡められることにより該一端を保持する保持部と、芯線を保持体の一端側から保持部の配置領域に導入させる導入口と、が形成されているので、芯線が露出することが無く、装身具の見栄えを向上することができる。よって、特許文献１の技術とは異なり、芯線を覆うコイルなども不要となる。しかも、芯線によりループを形成する必要もないため、芯線の弛みも生じにくくすることができる。
【発明を実施するための最良の形態】
【００３１】
以下、図面を参照して、本発明に係る実施形態について説明する。
【００３２】
〔第１の実施形態〕
図１は第１の実施形態に係る装身具用連結具１０を示す分解斜視図、図２は装身具用連結具１０を組み立てた状態の斜視図、図３は装身具用連結具１０を組み立てた状態の側断面図である。
【００３３】
図１乃至図３に示す装身具用連結具１０は、例えば、図１及び図２に示すような第１及び第２装飾部２０，３０を相互に連結するのに用いられる。
【００３４】
第１及び第２装飾部２０，３０は、ネックレス、ブレスレット、ペンダント或いはその他の装身具の一部である。
【００３５】
第１装飾部２０は、例えば、複数の珠型の装飾部材２１に順次に芯線１１を通すことにより該芯線１１により複数の装飾部材２１を相互に連結してなる連珠体である。
【００３６】
ここで、芯線１１は、例えば、ステンレスワイヤー、超弾性合金ワイヤー（超弾性ＮＴ合金ワイヤーなど）、絹糸、ナイロン糸、或いはその他の化学繊維などの各種の線材からなる。
【００３７】
第１装飾部２０は、芯線１１の一端部が装身具用連結具１０に保持されることによって該装身具用連結具１０と連結される。
【００３８】
なお、第１装飾部２０と装身具用連結具１０との間には、例えば、芯線１１が通された緩衝材２２が設けられる。
【００３９】
この緩衝材２２は、例えば、金属或いはやシリコンゴムなどからなる。
【００４０】
緩衝材２２の材質は、芯線１１の材質に応じて適当なものが選択される。すなわち、例えば、芯線１１がステンレスワイヤーなどの金属材からなる場合には、緩衝材２２は金属からなることが好ましく、芯線１１がナイロン糸、絹糸、化学繊維などからなる場合には、緩衝材２２はシリコンゴムからなることが好ましい。
【００４１】
第２装飾部３０は、例えば、チェーン３１と、このチェーン３１の一端部に連結された装飾部材３２と、を備えている。
【００４２】
図１に示すように、本実施形態に係る装身具用連結具１０は、装身具の一部分どうし（第１装飾部２０と第２装飾部３０）を相互に連結するためのものであり、例えば、芯線１１の一端部を保持する保持体１２と、この保持体１２を覆うカバー体１３と、このカバー体１３が保持体１２から脱落することを防止する脱落防止部材１４と、を備えて構成されている。
【００４３】
このうちカバー体１３は、例えば、筒状に形成されている。より具体的には、例えば、図１に示すように、円筒状に形成されている。
【００４４】
また、保持体１２は、カバー体１３内に挿入される挿入部１５と、この挿入部１５よりも大径に形成されカバー体１３内には挿入されない大径部１６と、を備え、大径部１６と挿入部１５との境界には段差部１７が形成されている。
【００４５】
挿入部１５には、芯線１１の一端が絡められることにより（本実施形態の場合、芯線１１の一端が巻き付けられることにより）、芯線１１の一端を保持する保持部１８と、脱落防止部材１４と連結される連結部１９と、が形成されている。
【００４６】
大径部１６には、芯線１１を保持体１２の一端側から保持部１８の配置領域に導入させる導入口２３が形成されている。
【００４７】
挿入部１５は、カバー体１３の内周に沿うような略円柱状の全体形状に形成され、該挿入部１５の先端部は、例えば、丸みを帯びた先細り形状とされ、該先端部に連結部１９が形成されている。
【００４８】
この連結部１９は、例えば、ループ形状の連結環である。
【００４９】
連結部１９は、保持体１２において、導入口２３に対して他端側に位置している。
【００５０】
挿入部１５には、保持部１８の周囲に十分な巻き付け回数で芯線１１を巻き付けることができるように、芯線巻き付け用空間部２４が形成されている。
【００５１】
この芯線巻き付け用空間部２４は、例えば、連結部１９の内部空間及び導入口２３の内部空間と連通している。
【００５２】
挿入部１５は、芯線巻き付け用空間部２４を挟んだ左右両側に位置する一対の本体部２５，２６を備えており、保持部１８は、この一対の本体部２５，２６間に亘って架設された梁状のものである。
【００５３】
また、脱落防止部材１４は、本実施形態の場合、例えば、図１に示すように、楕円状の連結環である。
【００５４】
この脱落防止部材１４は、少なくとも連結部１９と連結された状態においては、カバー体１３の内部に入り込むことができない寸法に設定されている。
【００５５】
ここで、脱落防止部材１４は、例えば、１本の弾性体を楕円状に屈曲形成し、その両端部１４ａ、１４ｂを相互に近接させたものであるが、これら両端部１４ａ、１４ｂは、楕円形状の脱落防止部材１４の長軸の近傍には位置せず、例えば、図１に示すように、その短軸の近傍に位置している。
【００５６】
次に、装身具用連結具１０を組み立てて、該装身具用連結具１０により第１及び第２装飾部２０，３０を相互に連結する方法の一例を説明する。
【００５７】
先ず、芯線１１の一端側を、保持体１２の一端側から導入口２３を介して保持部１８の配置領域に導入する（図３参照）。
【００５８】
次に、芯線１１の一端側を保持部１８に巻き付ける（図３参照）。
【００５９】
なお、図１に示すように、芯線１１の先端は、例えば、再び、導入口２３を介して保持体１２の外部に導出し、緩衝材２２の内部を介して第１装飾部２０の装飾部材２１内に戻す。
【００６０】
次に、保持体１２の挿入部１５をカバー体１３内に挿入し、カバー体１３の一端を保持体１２の段差部１７に当接させる（図２、図３参照）。
【００６１】
この状態で、保持体１２の連結部１９はカバー体１３の他端側より突出する（図２、図３参照）。
【００６２】
次に、保持体１２の連結部１９に対し、脱落防止部材１４を介して、第２装飾部３０のチェーン３１の一端を連結する（図２、図３参照）。
【００６３】
この連結は、脱落防止部材１４を変形させた後、脱落防止部材１４の形状を復帰させることにより行う。
【００６４】
これにより、図２に示すように、装身具用連結具１０が組み立てられるとともに、装身具用連結具１０を介して第１及び第２装飾部２０，３０が相互に連結された状態となる。
【００６５】
この状態では、図２に示すように、芯線１１が露出せず、装身具を見栄えの良いものとすることができる。
【００６６】
ここで、上記のように保持部１８に芯線１１を巻き付けた状態で保持体１２の挿入部１５をカバー体１３により覆うことによって、該カバー体１３により芯線１１の一端が押さえつけられるので、芯線１１が保持部１８に巻き付けられた状態に維持される。
【００６７】
なお、このように、カバー体１３により芯線１１の一端が押さえつけられる程度に、十分な巻き付け回数で芯線１１を保持部１８に巻き付ける。
【００６８】
また、このように装身具用連結具１０が組み立てられた状態では、カバー体１３は、保持体１２の段差部１７と脱落防止部材１４とにより挟まれることによって、保持体１２の挿入部１５からの脱落が防止される。
【００６９】
ここで、脱落防止部材１４が楕円状に形成されているので、脱落防止部材１４はその周方向には回転しない。しかも、脱落防止部材１４の両端部１４ａ、１４ｂは脱落防止部材１４の長軸の近傍には位置せず短軸の近傍に位置しているので、この両端部１４ａ、１４ｂが第２装飾部の構成要素を傷つけてしまうことがない。
【００７０】
以上のような第１の実施形態によれば、装身具の第１及び第２装飾部２０，３０を好適に連結することができると共に、芯線１１が露出することが無く、装身具の見栄えを向上することができる。よって、特許文献１の技術とは異なり、芯線１１を覆うコイルなども不要となる。しかも、芯線１１によりループを形成する必要もないため、芯線１１の弛みも生じにくくすることができる。
【００７１】
〔第２の実施形態〕
図４は第２の実施形態に係る装身具用連結具４０を示す正面断面図である。
【００７２】
図４に示す装身具用連結具４０は、上記の第１の実施形態に係る装身具用連結具１０における脱落防止部材１４（図１）に代えて、図４に示す脱落防止部材４１を備える点でのみ、第１の実施形態に係る装身具用連結具１０と相違する。
【００７３】
本実施形態の場合、脱落防止部材４１は、例えば、図４に示すように、バネ棒である。
【００７４】
すなわち、脱落防止部材４１は、筒状の本体筒４２、この本体筒４２の両端の開口部よりそれぞれ出没可能となるように該本体筒４２に設けられた左右一対の出没部材４３と、本体筒４２内に圧縮状態で配設された圧縮型のコイルスプリング（図示略）と、を備えている。
【００７５】
このうち出没部材４３は、本体筒４２内に配置され該本体筒４２の内周面に沿って摺動する摺動部（図示略）と、この摺動部よりも小径に構成され本体筒４２の内外に出没可能な出没部４４と、からなる。
【００７６】
本体筒４２の両端部は、コイルスプリング及び一対の摺動部を該本体筒４２内に配置した状態で内側に向けて折り曲げ形成され、一対の摺動部及びコイルスプリングが本体筒４２から脱落することが防止されている。
【００７７】
また、本実施形態の場合、例えば、第１の実施形態における第２装飾部３０に代えて、図４に一部分（ピン状部４５）を示す第２装飾部を、脱落防止部材４１を介して保持体１２の連結部１９に連結する。
【００７８】
なお、第２装飾部のピン状部４５は、第２装飾部の残りの部分に対して挿入することにより、該残りの部分に対して該ピン状部４５の係合部４６が係合するものである。
【００７９】
ピン状部４６の基端側には、脱落防止部材４１の一対の出没部４４が嵌入する一対の嵌入孔４７（片側のみ図示）が形成されている。
【００８０】
すなわち、ピン状部４７の基端側には、脱落防止部材４１が挿入される挿入空間（図示略）が形成されており、図４に示すように脱落防止部材４１を保持体１２の連結部１９に通し、脱落防止部材４１の一対の出没部４４をコイルスプリングの付勢に抗して本体筒４２内に没せしめた状態で、脱落防止部材４１をピン状部４５の挿入空間内に挿入し、一対の出没部４４をピン状部４５の一対の嵌入孔４７にそれぞれ位置合わせし、本体筒４２内よりコイルスプリングの付勢に従って突出させることにより、一対の出没部４４が一対の嵌入孔５２内にそれぞれ嵌入し、脱落防止部材４１を介してピン状部４５と保持体１２とが連結された状態となる。
【００８１】
以上のような第２の実施形態によれば、第１の実施形態と同様の効果が得られる。
【００８２】
〔第３の実施形態〕
図５は第３の実施形態に係る装身具用連結具（全体図示略）の保持体５０を示す斜視図である。
【００８３】
本実施形態に係る装身具用連結具は、上記の第１の実施形態に係る装身具用連結具１０における保持体１２（図１）に代えて、図５に示す保持体５０を備える点でのみ、第１の実施形態に係る装身具用連結具１０と相違する。
【００８４】
なお、保持体５０の構成要素のうち、図１に示す保持体１２と同様の構成要素については同一の符号を付し、その説明を省略する。
【００８５】
本実施形態における保持体５０の挿入部１５には、芯線１１を保持部１８に巻き付けた後に余る芯線１１の余剰部分を巻き付け可能な余剰芯線巻き付け部５１と、芯線１１の余剰部分の先端が挿入される芯線先端挿入孔５２と、余剰芯線巻き付け部５１から芯線先端挿入孔５２へと芯線１１をスムーズに導くための切欠部５３と、が形成されている。
【００８６】
ここで、挿入部１５の胴回りの寸法を保持部１８の近傍においては小さく設定したことにより、余剰芯線巻き付け部５１が形成されている。
【００８７】
また、芯線先端挿入孔５２は、例えば、保持部１８に形成されている。
【００８８】
本実施形態の場合、図５に示すように、芯線１１を保持部１８に十分に巻き付けた後、芯線１１を余剰芯線巻き付け部５１の周囲に巻き付け、更に、芯線１１の先端を切欠部５３を介して芯線先端挿入孔５２内に導入する。
【００８９】
第３の実施形態によれば、上記の第１の実施形態と同様の効果が得られる他に、以下の効果が得られる。
【００９０】
すなわち、芯線１１の余剰部分を余剰芯線巻き付け部５１を巻き付け、更にその先端を芯線先端挿入孔５２内に導入するので、芯線１１の先端側を導入口２３を介して第１装飾部２０側に戻す必要がない。
【００９１】
なお、芯線１１の先端は芯線先端挿入孔５２内に位置しているので、芯線１１の先端を容易に見つけることができる。
【００９２】
よって、万一芯線１１に弛みが生じた場合に、芯線１１を巻き戻した後で、適度なテンションで保持部１８に巻き付け直す作業を容易に行うことができる。
【００９３】
〔第４の実施形態〕
図６は第４の実施形態に係る装身具用連結具６０を示す分解斜視図、図７は装身具用連結具６０を組み立てた状態の側断面図である。
【００９４】
図６に示すように、本実施形態に係る装身具用連結具６０は、装身具の一部分どうしを相互に連結するためのものであり、例えば、芯線１１（図７）の一端部を保持する保持体６１と、この保持体６１を覆うカバー体６２と、このカバー体６２が保持体６１から脱落することを防止する脱落防止部材１４と、カバー体６２内に配置されて芯線１１を所定の経路に位置決めする位置決め部材６３と、を備えて構成されている。
【００９５】
このうちカバー体６２は、例えば、筒状に形成されている。より具体的には、例えば、図６に示すように、円筒状に形成されている。
【００９６】
また、保持体６１は、本体部６４と、この本体部６４の一端に設けられ脱落防止部材１４と連結される連結部６５と、を備えている。
【００９７】
本体部６４には、芯線１１の一端が絡められることにより芯線１１の一端を保持する複数の保持部６６が形成されている。
【００９８】
保持部６６は、カバー体６２に対する本体部６４の挿入方向において、所定間隔で配置されている。
【００９９】
更に、本体部６４において脱落防止部材１４が形成されているのとは反対側の端部には、芯線１１を該端部側から保持部６６の配置領域に導入させる導入口６７が形成されている。
【０１００】
更に、本体部６４には、保持部６６の周囲に芯線１１を十分に絡めることができるように、芯線絡め用空間部６８が形成されている。
【０１０１】
この芯線絡め用空間部６８は、例えば、連結部６５の内部空間及び導入口６７の内部空間と連通している。
【０１０２】
本体部６４は、カバー体６２の内周に沿うように、例えば円柱状の全体形状に形成されている。
【０１０３】
また、連結部６５は、例えば、扁平な環状の連結環である。
【０１０４】
本体部６４は、芯線絡め用空間部６８を挟んだ左右両側に位置する第１部分６９及び第２部分７０を備えており、複数の保持部６６は、これら第１部分６９と第２部分７０との間に亘ってそれぞれ架設された梁状のものである。
【０１０５】
また、カバー体６２の一端側は壁部７１により閉塞され、この壁部７１には連結部６５をカバー体６２の外部に突出させるスリット状の開口７２が形成されている。
【０１０６】
位置決め部材６３は、例えば、図６に示すように、カバー体６２の内径よりも若干小さい径に設定された、薄い円柱状の部材である。
【０１０７】
位置決め部材６３には、芯線１１が挿通され、該芯線１１を所定経路に位置決めする挿通孔７４が形成されている。
【０１０８】
ここで、本実施形態の装身具用連結具６０は、例えば、図７に示すように、複数の連珠体８１からなる第１装飾部８０と連結されるものであり、位置決め部材６３には複数の挿通孔７４が形成されている。
【０１０９】
すなわち、第１装飾部８０の各連珠体８１にはそれぞれ芯線１１が通されており、位置決め部材６３の各挿通孔７４に芯線１１を例えば１本ずつ挿通することにより、各芯線１１を所定経路に位置決めする。
【０１１０】
脱落防止部材１４は第１の実施形態と同様である。
【０１１１】
また、本実施形態の場合、第２装飾部は第１の実施形態と同様であり、図示を省略している。
【０１１２】
次に、装身具用連結具６０を組み立てて、該装身具用連結具６０により第１装飾部８０と第２装飾部（図示略）とを相互に連結する方法の一例を説明する。
【０１１３】
先ず、第１装飾部８０の各連珠体８１の芯線１１の一端側を、位置決め部材６３の各挿通孔７４に挿通する（図７参照）。
【０１１４】
更に、各芯線１１の一端側を、保持体６１の導入口６７を介して保持部６６の配置領域に導入する（図７参照）。
【０１１５】
次に、図７に示すように各芯線１１を複数の保持部６６に対して適当な経路で十分に絡める。
【０１１６】
次に、保持体６１を連結部６５の側からカバー体６２内に挿入し、連結部６５をカバー体６２の開口７２を介して該カバー体６２より突出させる。
【０１１７】
また、このように保持体６１をカバー体６２内に挿入するのに伴い、位置決め部材６３もカバー体６２内に挿入し、該位置決め部材６３を導入口６７の近傍位置に配置する。
【０１１８】
次に、連結部６５に対し脱落防止部材１４を介して第２装飾部を連結する。
【０１１９】
これにより、図７に示すように、装身具用連結具６０が組み立てられるとともに、装身具用連結具６０を介して第１装飾部８０と第２装飾部（図示略）とが相互に連結された状態となる。
【０１２０】
この状態では、図７に示すように、芯線１１が露出せず、装身具を見栄えの良いものとすることができる。
【０１２１】
ここで、脱落防止部材１４は、少なくとも図７に示すように連結部６５に対して連結した状態ではカバー体６２の開口７２を通過不能な寸法に設定されている。
【０１２２】
従って、カバー体６２は、脱落防止部材１４により第２装飾部側への脱落が防止されている。
【０１２３】
更に、カバー体６２は、保持体６１における連結部６５の周囲に位置する端面７５（図６参照）により第１装飾部８０側への移動が規制されている。
【０１２４】
以上のような第４の実施形態によれば、装身具の第１装飾部８０と第２装飾部とを好適に連結することができると共に、芯線１１が露出することが無く、装身具の見栄えを向上することができる。よって、特許文献１の技術とは異なり、芯線１１を覆うコイルなども不要となる。しかも、芯線１１によりループを形成する必要もないため、芯線１１の弛みも生じにくくすることができる。
【０１２５】
また、複数の保持部６６を備えるので、芯線１１を十分な固定強度で保持部６６に絡めることができ、カバー体６２により芯線１１を押さえつけなくても良い。
【０１２６】
なお、第４の実施形態では、位置決め部材６３を備える例を説明したが、この位置決め部材６３を省略しても良く、その場合、位置決め部材６３の収容スペースが不要となる分だけカバー体６２の寸法をコンパクトにすることができる。
【０１２７】
また、保持部６６の個数、第１装飾部８０における連珠体８１の本数、及び、位置決め部材６３の挿通孔７４の個数は任意（それぞれ１つでも良いし複数でも良い）である。
【０１２８】
〔第５の実施形態〕
図８は第５の実施形態に係る装身具用連結具（全体図示略）の保持体９０を示す斜視図である。
【０１２９】
本実施形態に係る装身具用連結具は、上記の第１の実施形態に係る装身具用連結具１０における保持体１２（図１）に代えて、図８に示す保持体９０を備える点でのみ、第１の実施形態に係る装身具用連結具１０と相違する。
【０１３０】
なお、保持体９０の構成要素のうち、図１に示す保持体１２と同様の構成要素については同一の符号を付し、その説明を省略する。
【０１３１】
本実施形態における保持体９０の挿入部１５には、図６及び図７（第４の実施形態）に示す保持体６１と同様に、複数（例えば、４つ）の保持部１８が所定間隔で形成されている。
【０１３２】
本実施形態の場合、複数の保持部１８に対する芯線１１の絡め方を第４の実施形態と同様に行う点の他は、装身具用連結具の組み立て方は第１の実施形態と同様である。
【０１３３】
以上のような第５の実施形態によれば、上記の第１の実施形態と同様の効果が得られる他に、複数の保持部１８を備えるので、第４の実施形態と同様に、芯線１１を十分な固定強度で保持部１８に絡めることができ、カバー体１３（図１）により芯線１１を押さえつけなくても良い。
【０１３４】
〔第６の実施形態〕
図９は第６の実施形態に係る装身具用連結具４００を示す分解斜視図である。
【０１３５】
図９に示すように、本実施形態に係る装身具用連結具４００は、芯線１１（図示略）の一端部を保持する保持体４０１と、この保持体４０１を覆うカバー体４０２と、このカバー体４０２が保持体４０１から脱落することを防止する脱落防止部材１４と、を備えて構成されている。
【０１３６】
このうちカバー体４０２は、例えば、筒状に形成されている。より具体的には、例えば、図９に示すように、四角筒状に形成されている。
【０１３７】
また、保持体４０１は、カバー体４０２内に挿入される挿入部４０３と、この挿入部４０３よりも大径に形成されカバー体４０２内には挿入されない大径部４０４と、を備え、大径部４０４と挿入部４０３との境界には段差部４０５が形成されている。
【０１３８】
挿入部４０３には、芯線１１の一端が絡められることにより芯線１１の一端を保持する複数の保持部４０６と、脱落防止部材１４と連結される連結部６５と、が形成されている。
【０１３９】
大径部４０４には、芯線１１を保持体４０１の一端側から保持部４０６の配置領域に導入させる導入口４０７が形成されている。
【０１４０】
ここで、本実施形態の場合、例えば、複数の導入口４０７が形成され、上記の第４の実施形態（図７、図８）と同様に、複数の連珠体からなる第１装飾部の連結に対応している。
【０１４１】
なお、導入口４０７の数は複数に限らず任意である。
【０１４２】
挿入部４０３は、カバー体４０２の内周に沿うように、例えば矩形枠状の全体形状に形成されている。
【０１４３】
挿入部４０３において左右両側に位置して相互に対向する第１部分４０８と第２部分４０９との間に亘り、複数の保持部４０６が所定間隔で架設されている。
【０１４４】
図９に示す例では各保持部４０６は円柱状に梁状のものであるが、角柱状であっても良い。
【０１４５】
また、挿入部４０３の第１及び第２部分４０８，４０９には、それぞれの表裏を貫通する芯線先端挿入孔４１０が例えば複数ずつ形成されている。
【０１４６】
本実施形態の場合、保持部４０６に絡めた後に余る芯線１１の余剰部分を挿入部４０３の周囲に巻き付けたり、その余剰部分の先端を任意の芯線先端挿入孔４１０内に挿入したりすることができるようになっている。
【０１４７】
また、脱落防止部材１４は、上記の第１の実施形態と同様である。
【０１４８】
なお、カバー体４０２において、図９における奥側の端部は、上記の第４の実施形態と同様に壁部７１により閉塞され、且つ該壁部７１には連結部６５を突出させる開口７２が形成されていても良いし、或いは、カバー体４０２において図９における奥側の端部は上記の第１の実施形態と同様に開口していても良い。
【０１４９】
カバー体４０２において図９における奥側の端部が開口している場合、脱落防止部材１４は、少なくとも連結部６５と連結された状態においては、カバー体４０２の内部に入り込むことができない寸法に設定されている必要がある。
【０１５０】
次に、装身具用連結具４００を組み立てて、該装身具用連結具４００により第１及び第２装飾部（図示略）を相互に連結する方法の一例を説明する。
【０１５１】
先ず、第１装飾部を構成する複数（例えば３つ）の芯線１１の一端側を、それぞれ保持体４０１の一端側から、導入口４０７を介して、保持部４０６の配置領域に導入する。
【０１５２】
次に、芯線１１の一端側を複数の保持部４０６に対して任意の経路で絡める。
【０１５３】
更に、保持部４０６に絡めた後に余る芯線１１の余剰部分を挿入部４０３の周囲に巻き付け、その余剰部分の先端を任意の芯線先端挿入孔４１０内に挿入する。
【０１５４】
次に、カバー体４０２内に保持体４０１の挿入部４０３を挿入し、保持体４０１の段差部４０５にカバー体４０２の一端を当接させる。
【０１５５】
この状態で、保持体４０１の連結部６５はカバー体４０２の他端側より突出する。
【０１５６】
次に、保持体４０１の連結部６５に対し、脱落防止部材１４を介して、第２装飾部（図示略）を連結する。
【０１５７】
これにより、装身具用連結具４００が組み立てられるとともに、装身具用連結具４００を介して第１及び第２装飾部が相互に連結された状態となる。
【０１５８】
この状態では、芯線１１が露出せず、装身具を見栄えの良いものとすることができる。
【０１５９】
ここで、上記のように保持体４０１の挿入部４０３に芯線１１を巻き付けた状態で挿入部４０３をカバー体４０２により覆うことによって、該カバー体４０２により芯線１１の一端が押さえつけられるので、芯線１１が挿入部４０３に巻き付けられた状態に維持される。
【０１６０】
また、このように装身具用連結具４００が組み立てられた状態では、カバー体４０２は、保持体４０１の段差部４０５と脱落防止部材１４とにより挟まれることによって、保持体４０１の挿入部４０３からの脱落が防止される。
【０１６１】
以上のような第６の実施形態によれば、装身具の第１及び第２装飾部を好適に連結することができると共に、芯線１１が露出することが無く、装身具の見栄えを向上することができる。よって、特許文献１の技術とは異なり、芯線１１を覆うコイルなども不要となる。しかも、芯線１１によりループを形成する必要もないため、芯線１１の弛みも生じにくくすることができる。
【０１６２】
〔第７の実施形態〕
図１０は第７の実施形態に係る装身具用連結具５００を示す分解斜視図である。
【０１６３】
図１０に示すように、本実施形態に係る装身具用連結具５００は、芯線１１（図示略）の一端部を保持する保持体５０１と、この保持体５０１を覆うカバー体５０２と、このカバー体５０２が保持体５０１から脱落することを防止する脱落防止部材１４と、を備えて構成されている。
【０１６４】
このうちカバー体５０２は、例えば、筒状に形成されている。より具体的には、例えば、図１０に示すように、円筒状に形成されている。
【０１６５】
また、保持体５０１は、カバー体５０２内に挿入される挿入部５０３と、この挿入部５０３よりも大径に形成されカバー体５０２内には挿入されない大径部５０４と、を備え、大径部５０４と挿入部５０３との境界には段差部５０５が形成されている。
【０１６６】
挿入部５０３は、例えば、図１０に示すように、カバー体５０２の内周に沿うような、例えば円筒形の中空体である。
【０１６７】
この挿入部５０３には、その内外を貫通する複数の貫通孔５０６が形成されている。
【０１６８】
各貫通孔５０６は、芯線１１の一端が絡められることにより芯線１１の一端を保持する保持部を構成している。
【０１６９】
また、大径部５０４には、芯線１１を保持体５０１の一端側から、貫通孔５０６により構成される保持部の配置領域に導入させる導入口５０７が形成されている。
【０１７０】
本実施形態の場合、例えば、複数の導入口５０７が形成され、上記の第４の実施形態（図７、図８）と同様に、複数の連珠体からなる第１装飾部の連結に対応している。
【０１７１】
なお、導入口５０７の数は複数に限らず任意である。
【０１７２】
更に、挿入部５０３において、大径部５０４が設けられているのとは反対側の端部には、脱落防止部材１４と連結される連結部６５が形成されている。
【０１７３】
また、脱落防止部材１４は、上記の第１の実施形態と同様である。
【０１７４】
なお、カバー体５０２において、図１０における奥側の端部は、上記の第４の実施形態と同様に壁部７１により閉塞され、且つ該壁部７１には連結部６５を突出させる開口７２が形成されていても良いし、或いは、カバー体５０２において図１０における奥側の端部は上記の第１の実施形態と同様に開口していても良い。
【０１７５】
カバー体５０２において図１０における奥側の端部が開口している場合、脱落防止部材１４は、少なくとも連結部６５と連結された状態においては、カバー体５０２の内部に入り込むことができない寸法に設定されている必要がある。
【０１７６】
次に、装身具用連結具５００を組み立てて、該装身具用連結具５００により第１及び第２装飾部（図示略）を相互に連結する方法の一例を説明する。
【０１７７】
先ず、第１装飾部を構成する複数（例えば４つ）の芯線１１の一端側を、それぞれ保持体５０１の一端側から、導入口５０７を介して、貫通孔５０６からなる保持部の配置領域に導入する。
【０１７８】
次に、芯線１１の一端側を複数の貫通孔５０６に対して任意の経路で絡める。
【０１７９】
更に、貫通孔５０６に絡めた後に余る芯線１１の余剰部分を挿入部５０３の周囲に巻き付ける。
【０１８０】
更に、芯線１１の先端を貫通孔５０６を介して挿入部５０３内に挿入する。
【０１８１】
次に、カバー体５０２内に保持体５０１の挿入部５０３を挿入し、保持体５０１の段差部５０５にカバー体５０２の一端を当接させる。
【０１８２】
この状態で、保持体５０１の連結部６５はカバー体５０２の他端側より突出する。
【０１８３】
次に、保持体５０１の連結部６５に対し、脱落防止部材１４を介して、第２装飾部（図示略）を連結する。
【０１８４】
これにより、装身具用連結具５００が組み立てられるとともに、装身具用連結具５００を介して第１及び第２装飾部が相互に連結された状態となる。
【０１８５】
この状態では、芯線１１が露出せず、装身具を見栄えの良いものとすることができる。
【０１８６】
ここで、上記のように保持体５０１の挿入部５０３に芯線１１を巻き付けた状態で挿入部５０３をカバー体５０２により覆うことによって、該カバー体５０２により芯線１１の一端が押さえつけられるので、芯線１１が挿入部５０３に巻き付けられた状態に維持される。
【０１８７】
また、このように装身具用連結具５００が組み立てられた状態では、カバー体５０２は、保持体５０１の段差部５０５と脱落防止部材１４とにより挟まれることによって、保持体５０１の挿入部５０３からの脱落が防止される。
【０１８８】
以上のような第７の実施形態によれば、装身具の第１及び第２装飾部を好適に連結することができると共に、芯線１１が露出することが無く、装身具の見栄えを向上することができる。よって、特許文献１の技術とは異なり、芯線１１を覆うコイルなども不要となる。しかも、芯線１１によりループを形成する必要もないため、芯線１１の弛みも生じにくくすることができる。
【０１８９】
なお、上記の各実施形態において、脱落防止部材は、第１の実施形態などで説明した楕円環（脱落防止部材１４）や第２の実施形態で説明したバネ棒（脱落防止部材４１）に限らず、第２装飾部と保持体の連結部とを連結できるものであれば、例えばピン或いはその他のものであっても良い。
【０１９０】
また、上記においては、保持部が複数の場合に複数の芯線１１を保持体に保持させる例（第４、第５、第６、第７の実施形態）を説明したが、保持部が１つの場合にも、複数の芯線１１を保持体に保持させるようにしても良い。
【０１９１】
すなわち、例えば、上記の第１乃至第３の実施形態の場合に、複数の芯線１１を備える第１装飾部を用い、これら複数の芯線１１を１つの導入口２３を介して保持部１８の配置領域に導き、該保持部１８に巻き付け保持させても良い。なお、第３の実施形態のように余剰芯線巻き付け部５１を備える構成の方が、芯線１１の巻き付け領域が多く確保されるので、複数の芯線１１を巻き付けるのに適している。
【０１９２】
このように、保持部の数と芯線１１の数とは１対１で対応する必要はない。また、導入口の数と芯線１１の数も１対１で対応する必要はない。
【０１９３】
また、上記の各実施形態において、保持部１８、６６、４０６の外周形状が角張っているほど、保持部１８、６６、４０６と芯線１１との摩擦が大きく、保持部１８、６６、４０６による芯線１１の保持性能が高まる。
【０１９４】
逆に、保持部１８、６６、４０６の外周形状が丸みを帯びていれば、保持部１８、６６、４０６による芯線１１の保持性能は低下するため、芯線１１の巻き付け回数は多く必要となるが、保持部１８、６６、４０６が芯線１１を傷つけることを防止できる。
【０１９５】
保持部１８，６６，４０６の外周形状（芯線１１との摩擦力の大きさ）は、芯線１１の材質に応じて適宜に選択すると良い。
【０１９６】
更に、保持部１８，６６，４０６に対する芯線１１の絡め方や巻き付け方も、芯線１１の材質に応じて適宜に選択すると良い。例えば、芯線１１がステンレスワイヤーなどの金属材からなる場合には、単に巻き付けたり絡めるだけでも良いが、絹糸やナイロン糸の場合には、巻き付けたり絡めるだけでなく、芯線１１を保持部１８，６６，４０６に結わえることが好ましい。
【図面の簡単な説明】
【０１９７】
【図１】第１の実施形態に係る装身具用連結具を示す分解斜視図である。
【図２】第１の実施形態に係る装身具用連結具を示す斜視図である。
【図３】第１の実施形態に係る装身具用連結具を示す側断面図である。
【図４】第２の実施形態に係る装身具用連結具を示す斜視図である。
【図５】第３の実施形態に係る装身具用連結具の保持体を示す斜視図である。
【図６】第４の実施形態に係る装身具用連結具を示す分解斜視図である。
【図７】第４の実施形態に係る装身具用連結具を示す側断面図である。
【図８】第５の実施形態に係る装身具用連結具の保持体を示す斜視図である。
【図９】第６の実施形態に係る装身具用連結具を示す分解斜視図である。
【図１０】第７の実施形態に係る装身具用連結具を示す分解斜視図である。
【図１１】従来の装身具用連結具を示す正面断面図である。
【符号の説明】
【０１９８】
１０    装身具用連結具
２０    第１装飾部
３０    第２装飾部
１１    芯線
１２    保持体
１３    カバー体
１８    保持部
２３    導入口
１４    脱落防止部材
１９    連結部
１７    段差部
４０    装身具用連結具
４１    脱落防止部材
４５    ピン状部（第２装飾部の一部）
５０    保持体
６０    装身具用連結具
６１    保持体
６２    カバー体
６６    保持部
６７    導入口
７２    開口
６５    連結部
７５    端面（保持体における連結部の周囲の部分）
６３    位置決め部材
７４    挿通孔
８０    第１装飾部
９０    保持体
４００  装身具用連結具
４０１  保持体
４０２  カバー体
４０６  保持部
４０７  導入口
４０５  段差部
５００  装身具用連結具
５０１  保持体
５０２  カバー体
５０６  貫通孔（保持部を構成する）
５０７  導入口
５０５  段差部
【図１】
2008054735.tif 000003
【図２】
2008054735.tif 000004
【図３】
2008054735.tif 000005
【図４】
2008054735.tif 000006
【図５】
2008054735.tif 000007
【図６】
2008054735.tif 000008
【図７】
2008054735.tif 000009
【図８】
2008054735.tif 000010
【図９】
2008054735.tif 000011
【図１０】
2008054735.tif 000012
【図１１】
2008054735.tif 000013